(57)【要約】【課題】低沸点を持つ極性有機溶媒と水の間で超低界面張力状態を発現させること。【解決手段】沸点が１２０℃以下の極性有機溶媒と水を含む系に、親水性親油性バランス（ＨＬＢ）を釣り合わせた芳香環を含む界面活性剤を共存させることにより、超低界面張力状態を発現する組成物を提供する。【選択図】　なし【特許請求の範囲】
【請求項１】
沸点が１２０℃以下の極性有機溶媒、水、および親水性親油性バランス（ＨＬＢ）を釣り合わせた芳香環を有する界面活性剤を含む組成物。
【請求項２】
沸点が１２０℃以下の極性有機溶媒、水、および芳香環を有する界面活性剤を含む組成物を調製する工程、および、芳香環を有する界面活性剤のＨＬＢを釣り合わせる工程を順不同で行い、かつ、
前記のＨＬＢを釣り合わせる工程を、前記組成物の組成比、塩強度、ｐＨ、および温度から選択される１以上の条件を調節することにより行うことを特徴とする、
沸点が１２０℃以下の極性有機溶媒、水、および芳香環を有する界面活性剤を含み、超低界面張力状態を発現する組成物の製造方法。
【発明の詳細な説明】
【０００１】
【発明の属する技術分野】
本発明は、化合物合成の反応場として用いることのできる極性有機溶媒と水との間の超低界面張力状態の発現に関するものである。
【０００２】
【従来の技術】
油と水との間で超低界面張力状態を発現させる場合、「界面活性剤／油／水系」の相挙動を詳細に検討する必要がある。充分な量の水／油系に界面活性剤を溶解した場合の典型的な相挙動は、界面活性剤の親水性・親油性バランス（ＨＬＢ）に基づき、次の３つのパターンに分類されることが、Ｗｉｎｓｏｒにより報告されている（Ｐ．　Ａ．　Ｗｉｎｓｏｒ，　Ｃｈｅｍ．　Ｒｅｖ．，　６８，　１　（１９６８））。
▲１▼　界面活性剤が親水性の場合、「ミセル水溶液（下相マイクロエマルション）＋過剰の油」の２相状態となる（Ｗｉｎｓｏｒ　Ｉ）。
▲２▼　界面活性剤が親油性の場合、「逆ミセル溶液（上相マイクロエマルション）＋過剰の水」の２相状態となる（Ｗｉｎｓｏｒ　ＩＩ）。
▲３▼　界面活性剤の親水性と親油性が釣り合った場合、界面活性剤が水にも油にも溶解せず、「中間相マイクロエマルション（界面活性剤相）＋過剰の水＋過剰の油」の３相状態となる（Ｗｉｎｓｏｒ　ＩＩＩ）。
Ｗｉｎｓｏｒ　ＩＩＩ状態では、水と油を同時に可溶化している界面活性剤相（水と油が共連続構造を形成）が存在し、超低界面張力状態を示す。このような超低界面張力状態は、様々な方向へと展開可能である。
【０００３】
篠田らは、ＨＬＢが釣り合った温度付近において「ノニオン性界面活性剤／ｎ−アルカン／水系」の乳化を行うことで、微細エマルションが生成することを報告している（Ｋ．　Ｓｈｉｎｏｄａ，　Ｈ．　Ｓａｉｔｏ，　Ｊ．　Ｃｏｌｌｏｉｄ　Ｉｎｔｅｒｆａｃｅ　Ｓｃｉ．，３０，　２５８−２６３（１９６９））。
【０００４】
Ｍａｎｎらは、ＨＬＢが釣り合った状態で出現するＷｉｎｓｏｒ　ＩＩＩ状態（水と油が共連続構造）を反応場とすることで、３次元網目構造を有するヒドロキシアパタイトを合成可能であることを報告している（Ｄ．Ｗａｌｓｈ，　Ｊ．　Ｄ．　Ｈｏｐｗｏｏｄ，　Ｓ．　Ｍａｎｎ，　Ｓｃｉｅｎｃｅ，　２６４，　１５７６　（１９９４））。同様なコンセプトにより、３次元網目構造を有するシリカの合成が可能であることも報告されている（Ｓ．　Ｄ．　Ｓｉｍｓ，　Ｄ．　Ｗａｌｓｈ，　Ｓ．　Ｍａｎｎ，　Ａｄｖ．　Ｍａｔｅｒ．，　１０，　１５１　（１９９８））。
【０００５】
国武らは、「ＳＤＳ／トルエン／水」系において、ＨＬＢが釣り合った状態で出現するＷｉｎｓｏｒ　ＩＩＩ状態の界面活性剤相（水と油が共連続構造）の電気化学測定を行うことにより、水相と有機相の電気化学的情報を独立に検出可能であることを報告している（Ｓ．　Ｙｏｓｈｉｔａｋｅ，　Ａ．　Ｏｈｉｒａ，　Ｍ．　Ｔｏｍｉｎａｇａ，　Ｔ．　Ｎｉｓｈｉｍｉ，　Ｍ．　Ｓａｋａｔａ，　Ｃ．　Ｈｉｒａｙａｍａ，　Ｍ．　Ｋｕｎｉｔａｋｅ，　Ｃｈｅｍ．　Ｌｅｔｔ．，　２００２，　３６０）
【０００６】
これらの例に示されるように、ＨＬＢが釣り合った状態で出現するＷｉｎｓｏｒ　ＩＩＩ状態は、様々な応用の可能性がある。しかし、オイルとして極性有機溶媒を用いた系に関する相挙動の報告は極めて少ないため、応用の可能性が限定されているのが実情である。
【０００７】
Ｋｅｌｌｙらは「ノニオン性界面活性剤／エーテル型オイル／水系」において、ＨＬＢがつりあった温度で、超低界面張力状態に特徴的なＷｉｎｓｏｒ　ＩＩＩ状態が発現することを報告している（Ｋ．　Ｒ．　Ｗｏｒｍｕｔｈ，　Ｅ．　Ｗ．　Ｋａｌｅｒ，　Ｊ．　Ｐｈｙｓ．　Ｃｈｅｍ．，　９３，　４８５５　（１９８９））。Ｂｉｎｋｓらは「ＡＯＴ／フタル酸エステル／塩水系」において、ＨＬＢがつりあった塩濃度で、超低界面張力状態に特徴的なＷｉｎｓｏｒ　ＩＩＩ状態が発現することを報告している（Ｒ．　Ａｖｅｙａｒｄ，　Ｂ．　Ｐ．　Ｂｉｎｋｓ，　Ｐ．　Ｄ．　Ｉ．　Ｆｌｅｃｈｅｒ，　Ｐ．　Ａ．　Ｋｉｎｇｓｔｏｎ，　Ａ．　Ｒ．　Ｐｉｔｔ．，　Ｊ．　Ｃｈｅｍ．　Ｓｏｃ．，　Ｆａｒａｄａｙ　Ｔｒａｎｓ．，　９０，　２７４３−２７５１　（１９９４））。国枝らは、「ノニオン性界面活性剤／ミリスチン酸イソプロピル／水系」において、ＨＬＢがつりあった温度で、超低界面張力状態に特徴的なＷｉｎｓｏｒ　ＩＩＩ状態が発現することを報告している（Ｈ．　Ｋｕｎｉｅｄａ，　Ｍ．　Ｈｏｒｉｉ，　Ｍ．　Ｋｏｙａｍａ，　Ｋ．　Ｓａｋａｍｏｔｏ，　Ｊ．　Ｃｏｌｌｏｉｄ　Ｉｎｔｅｒｆａｃｅ　Ｓｃｉ．，　２３６，　７８　（２００１））。
【０００８】
これらの報告は、「界面活性剤／極性有機溶媒／水」系において、Ｗｉｎｓｏｒ　ＩＩＩ状態が発現すること明確に示している。しかしこれらの報告で用いられている有機溶媒は高沸点であるか、または極性が十分には高くないため、Ｗｉｎｓｏｒ　ＩＩＩ状態を経由して乳化した後、あるいは、Ｗｉｎｓｏｒ　ＩＩＩ状態を反応場として合成を行った後、極性有機溶媒を除去することは極めて困難であるか、機能性有機化合物の溶媒として用いる場合、必ずしも十分な溶解性を有しているわけではない、という問題点を有している。
【０００９】
【発明が解決しようとする課題】
従来の超低界面張力の発現方法では、極性有機溶媒を用いた例は限られており、また、低沸点を持つ極性有機溶媒を用いて超低界面張力状態を発現させた例は知られていなかった。それゆえ本発明の目的は、低沸点を持つ極性有機溶媒と水の間で超低界面張力状態を発現させることである。
【００１０】
【課題を解決するための手段および作用】
本発明者は、種々の「界面活性剤／低沸点極性有機溶媒／水系」の相挙動を詳細に検討した結果、極性有機溶媒との親和性が高い芳香環を有する界面活性剤を用いた場合に、酢酸エチルのごとき低沸点の極性有機溶媒と水との間で超低界面張力状態（Ｗｉｎｓｏｒ　ＩＩＩ）が予期せず発現することを初めて見出し、本発明に到達した。
【００１１】
すなわち、上記課題は以下の本発明により解決された。
（１）　沸点が１２０℃以下の極性有機溶媒、水、および親水性親油性バランス（ＨＬＢ）を釣り合わせた芳香環を有する界面活性剤を含む組成物。
（２）　極性有機溶媒の２５℃における水への溶解度が３０％以下である、（１）に記載の組成物。
（３）　極性有機溶媒の溶解度パラメーターが８．０ｃａｌ１／２ｃｍ−３／２以上である、（１）または（２）に記載の組成物。
（４）　極性有機溶媒の沸点が１００℃以下である、（１）〜（３）のいずれか１項に記載の組成物。
（５）　極性有機溶媒に機能性有機化合物が溶解している、（１）〜（４）のいずれか１項に記載の乳化方法。
（６）　機能性有機化合物がイメージング材料である、（５）に記載の乳化方法。
（７）　互に化学反応を起こす関係にある化合物が極性有機溶媒と水にそれぞれ溶解している、（１）〜（６）のいずれか１項に記載の組成物。
（８）　上記（７）の組成物を攪拌することにより、前記化合物による化学反応を進行させる工程を含む化学反応進行方法。
（９）　上記（１）〜（８）のいずれか１項に記載の組成物を攪拌する工程を含む乳化方法。
【００１２】
（１０）　沸点が１２０℃以下の極性有機溶媒、水、および芳香環を有する界面活性剤を含む組成物を調製する工程、および、芳香環を有する界面活性剤のＨＬＢを釣り合わせる工程を順不同で行い、かつ、
前記のＨＬＢを釣り合わせる工程を、前記組成物の組成比、塩強度、ｐＨ、および温度から選択される１以上の条件を調節することにより行うことを特徴とする、
沸点が１２０℃以下の極性有機溶媒、水、および芳香環を有する界面活性剤を含み、超低界面張力状態を発現する組成物の製造方法。
（１１）　極性有機溶媒の２５℃における水への溶解度が３０％以下である、（１０）に記載の超低界面張力状態の発現方法。
（１２）　極性有機溶媒の溶解度パラメーターが８．０ｃａｌ１／２ｃｍ−３／２以上である、（１０）または（１１）に記載の超低界面張力状態の発現方法。
（１３）　極性有機溶媒の沸点が１００℃以下である、（１０）〜（１２）のいずれか１項に記載の超低界面張力状態の発現方法。
（１４）　組成物の塩強度を調節する、（１０）〜（１３）のいずれか１項に記載の超低界面張力状態の発現方法。
（１５）　組成物に塩を添加して塩強度を調節する、（１４）に記載の超低界面張力状態の発現方法。
（１６）　添加する塩が無機塩である、（１５）に記載の超低界面張力状態の発現方法。
【００１３】
【発明の実施の態様】
以下において、本発明の組成物およびその製造方法について詳細に説明する。なお、本明細書において「〜」は、その前後に記載される数値を下限値及び上限値として含む意味で使用される。
本発明は、極性有機溶媒および水を含む系に、親水性親油性バランス（ＨＬＢ）を釣り合わせた芳香環を含む界面活性剤を存在させることによって超低界面張力状態を発現させることを特徴とする。
本明細書において「超低界面張力状態」とは、Ｗｉｎｓｏｒ　ＩＩＩ状態の存在が認められる状態を意味する。Ｗｉｎｓｏｒ　ＩＩＩ状態とは、組成物を透明な試験管に入れ静置した場合、平衡状態で水相と有機相の間に独立した中間相が確認され、この相が液晶相ではない状態を意味する。偏光板で挟んだ場合に流動複屈折が認められない場合、中間相が液晶相でないことが確認される。
【００１４】
このような超低界面張力状態は、界面活性剤として、親水性親油性バランス（ＨＬＢ）を釣り合わせた芳香環を含む化合物を使用することによって発現させることができる。
本発明における「界面活性剤／低沸点極性有機溶媒／水」からなる組成物において、界面活性剤のＨＬＢを釣り合わせるためには、例えば、前記組成物の組成比、塩強度、ｐＨ、補助界面活性剤（例えばオクタノール等）の量、および温度から選択される１以上の条件を調節する方法を用いることができる。また、界面活性剤、極性有機溶媒、水の各成分を混合する前に、あらかじめ界面活性剤の塩強度、ｐＨ、温度、および量から選択される１以上の条件を調節しておき、他の成分と混合したときにＨＬＢが釣り合うようにしてもよい。このように、超低界面張力状態を発現する本発明の組成物を調製する際には、各成分を混合して組成物を調製する工程と、界面活性剤のＨＬＢを釣り合わせる工程は、いずれを先に行ってもよい。
【００１５】
ＨＬＢを釣り合わせる方法として最も簡便で好ましいものは、塩を添加する方法である。用いる塩は水溶性のものであればよく、好ましくは無機塩であり、１価の酸と塩基からなるものがより好ましい。塩の添加量は界面活性剤／極性有機溶媒／水の構成比率によって異なるが、通常０．０１〜１０質量％の範囲内でＨＬＢを釣り合わせることができる。塩を添加することによる具体的な制御法については、後述の実施例を参考にすることができる。
【００１６】
本発明の組成物の組成は、超低界面張力状態を発現する限り制限されない。典型的な組成は、極性有機溶媒１〜８０質量％、水１０〜９９質量％、界面活性剤０．１〜２０質量％である。好ましい組成は、極性有機溶媒５〜６０質量％、水３０〜８０質量％、界面活性剤０．１〜１０質量％である。
【００１７】
本発明において用いられる芳香環を含む界面活性剤としては、既知の化合物を使用することが可能である。芳香環の種類は特に制限されず、ベンゼン環の他に、ナフタレン環やアントラセン環のような縮合ベンゼン環、トロピリウム環のような非ベンゼン系芳香環、ピリジン環やピロール環のような複素芳香環を挙げることができる。好ましいのはベンゼン環および／または縮合ベンゼン環を有する界面活性剤であり、より好ましいのはベンゼン環を有する界面活性剤である。
【００１８】
本発明において用いられる芳香環を含む界面活性剤の具体例として、ＡＬＫＡＮＯＬ　ＸＣ（Ａｌｄｒｉｃｈ製）や分岐あるいは直鎖のドデシルベンゼンスルホン酸ナトリウムのごときアニオン性界面活性剤、ベンゼトニウムクロリドのごときカチオン性界面活性剤、あるいはノニオン性界面活性剤、ベタイン型界面活性剤を挙げることができる。
【００１９】
【化１】
2004016836.tif 000002
【００２０】
本発明で用いられる極性有機溶媒は、沸点が１２０℃以下であり、１００℃以下であることがより好ましく、８０℃以下であることがさらにより好ましい。また、本発明で用いられる有機溶媒は、２５℃における水への溶解度が３０％以下であることが好ましく、１０％以下であることがより好ましい。溶媒の極性を表す指標の一つとして溶解度パラメーターがＢａｒｔｏｎにより報告されているが（Ａ．　Ｆ．　Ｍ．　Ｂａｒｔｏｎ，　Ｃｈｅｍ．　Ｒｅｖ．，　７５，　７３１　（１９７５））、本発明においては、この溶解度パラメーターが８．０ｃａｌ１／２ｃｍ−３／２以上である有機溶媒を用いることが好ましく、９．０ｃａｌ１／２ｃｍ−３／２以上である有機溶媒を用いることがより好ましい。これらの好ましい条件を満たす有機溶媒としては、例えば酢酸エチル、酢酸イソプロピル、酢酸イソブチル、プロピオン酸エチル、メチルエチルケトン、メチルイソブチルケトン等を挙げることが可能である。
【００２１】
本発明における極性有機溶媒、水、界面活性剤の使用比率は、超低界面張力状態が発現する限り特に制限されない。また、超低界面張力状態が発現させるにあたって各成分を混合する順序やＨＬＢの調整手順も特に制限されない。例えば、あらかじめＨＬＢが釣り合うような界面活性剤、極性有機溶媒、水を用意しておきこれらを超低界面張力状態が発現しうるような任意の順序で混合することにより調製してもよいし、極性有機溶媒、水、界面活性剤の系を先に調製しておいてからＨＬＢを釣り合わせてもよい。また、後述する実施例のように極性有機溶媒、水、界面活性剤とともに適量のＮａＣｌ溶液を混合することによりＨＬＢを釣り合わせてもよい。これらの操作は、すべて本発明の超低界面張力状態の発現方法の一工程として採用することができる。
【００２２】
本発明で用いる極性有機溶媒や水には、超低界面張力状態の発現を妨げない限りいかなる化合物が混合・溶解していてもよい。例えば、イメージング材料などの機能性有機化合物が溶解していてもよい。また、互に化学反応を起こす関係にある化合物を極性有機溶媒と水にそれぞれ溶解しておき、本発明にしたがってこれらの化合物による化学反応を進行させてもよい。
【００２３】
本発明によれば、低沸点の極性有機溶媒、水、芳香環を有する界面活性剤からなる新しい超低界面張力状態を発現させることができる。このため、本発明によれば新しい乳化系や反応場を提供することができ、それによって新しい材料を提供したり、製造工程を簡略化したりすることが可能になる。また、本発明では低沸点の極性有機溶媒を構成要素としているために、必要に応じて極性有機溶媒を除去し易いという利点もある。例えば、超低界面張力状態を経て乳化や反応を行った後に、極性有機溶媒を留去することにより目的物をより容易に得ることができる。
【００２４】
【実施例】
以下に実施例と比較例を挙げて本発明の特徴をさらに具体的に説明する。以下の実施例に示す材料、使用量、割合、処理内容、処理手順等は、本発明の趣旨を逸脱しない限り適宜変更することができる。したがって、本発明の範囲は以下に示す具体例により限定的に解釈されるべきものではない。
【００２５】
＜実施例１＞
本実施例は、芳香環を有するアニオン性界面活性剤であるＡＬＫＡＮＯＬ　ＸＣを用いてＨＬＢを釣り合わせた場合、酢酸エチルと水との間で超低界面張力状態が発現することを示すものである．
【００２６】
２．３５ｇのＮａＣｌ水溶液（塩濃度を０．５〜１．０％まで６段階に変えたものを用いた）、２．３５ｇの酢酸エチル、０．３０ｇのＡＬＫＡＮＯＬ　ＸＣを試験管に入れた後に密栓し、十分に振盪した後、２５℃で１ヶ月間静置した。得られたサンプルの界面の位置を測定し、試験管の底面を０、液表面を１．０として界面の位置を数値化した。得られた結果を表１に示す。
【００２７】
【表１】
2004016836.tif 000003
【００２８】
ＡＬＫＡＮＯＬ　ＸＣは水溶性界面活性剤ゆえ、塩濃度が低い場合は水相中に溶解する（試料１，２，３：Ｗｉｎｓｏｒ　Ｉ）。一方、高塩濃度の場合、ＡＬＫＡＮＯＬ　ＸＣの親水性が低下するため有機相中に溶解する（試料６：Ｗｉｎｓｏｒ　ＩＩ状態）。両者の中間的な状態、すなわち、親水性と親油性がつりあった状態の場合、超低界面張力状態の特徴である３相状態（水相＋界面活性剤相＋有機相）が出現することが確認された（試料４，５：Ｗｉｎｓｏｒ　ＩＩＩ状態）。
【００２９】
このように、芳香環を含む界面活性剤を用いた場合、「界面活性剤／低沸点極性有機溶媒／水系」において、ＨＬＢをつりあわせることにより、超低界面張力状態を発現させることが可能であることが証明された。
【００３０】
＜実施例２＞
本実施例は、ＡＬＫＡＮＯＬ　ＸＣ以外の芳香環を含むアニオン性界面活性剤を用いた場合にも、「界面活性剤／低沸点極性有機溶媒／水系」において超低界面張力状態が発現することを示すものである。
【００３１】
実施例１のＡＬＫＡＮＯＬ　ＸＣを、ドデシルベンゼンスルホン酸ナトリウムに置き換えて、実施例１と同一の実験を行った。ただし、ＮａＣｌ水溶液の塩濃度は１．０〜２．０％まで６段階に変えたものを用いた。得られた結果を表２に示す。
【００３２】
【表２】
2004016836.tif 000004
【００３３】
ドデシルベンゼンスルホン酸ナトリウムは水溶性界面活性剤ゆえ、塩濃度が低い場合は水相中に溶解する（試料７，８：Ｗｉｎｓｏｒ　Ｉ）。一方、高塩濃度の場合、ドデシルベンゼンスルホン酸ナトリウムの親水性が低下するため有機相中に溶解する（試料１２：Ｗｉｎｓｏｒ　ＩＩ状態）。両者の中間的な状態、すなわち、親水性と親油性がつりあった状態の場合、超低界面張力状態の特徴である３相状態（水相＋界面活性剤相＋有機相）が出現することが確認された（試料９，１０，１１：Ｗｉｎｓｏｒ　ＩＩＩ状態）。
【００３４】
このように、芳香環を含む界面活性剤であるドデシルベンゼンスルホン酸ナトリウムを用いた場合にも、ＡＬＫＡＮＯＬ　ＸＣを用いた場合と同様に、ＨＬＢをつりあわせることにより、「界面活性剤／低沸点極性有機溶媒／水系」における超低界面張力状態を発現させることが可能であることが証明された。
【００３５】
＜実施例３＞
本実施例は、芳香環を含むカチオン性界面活性剤を用いた場合にも、「界面活性剤／低沸点極性有機溶媒／水系」において超低界面張力状態が発現することを示すものである。
【００３６】
実施例１のＡＬＫＡＮＯＬ　ＸＣを、ベンゼトニウムクロリドに置き換えて、実施例１と同一の実験を行った。ただし、ＮａＣｌ水溶液の塩濃度は１．０〜２．０％まで６段階に変えたものを用いた。得られた結果を表３に示す。
【００３７】
【表３】
2004016836.tif 000005
【００３８】
ベンゼトニウムクロリドは水溶性界面活性剤ゆえ、塩濃度が低い場合は水相中に溶解する（試料１３：Ｗｉｎｓｏｒ　Ｉ）。一方、高塩濃度の場合、ベンゼトニウムクロリドの親水性が低下するため有機相中に溶解する（試料１７，１８：ＷｉｎｓｏｒＩＩ状態）。両者の中間的な状態、すなわち、親水性と親油性がつりあった状態の場合、超低界面張力状態の特徴である３相状態（水相＋界面活性剤相＋有機相）が出現することが確認された（試料１４，１５，１６：Ｗｉｎｓｏｒ　ＩＩＩ状態）。
【００３９】
このように、芳香環を含む界面活性剤を用いた場合、親水基がカチオン性である場合にも、ＨＬＢをつりあわせることにより、「界面活性剤／低沸点極性有機溶媒／水系」における超低界面張力状態を発現させることが可能であることが証明された。
【００４０】
＜比較例１＞
本比較例は、芳香環を含まない界面活性剤であるＳＤＳ（ドデシル硫酸ナトリウム）、およびＡＯＴを用いた場合、酢酸エチルと水との間で超低界面張力状態が発現しないことを示すものである。
【００４１】
【化２】
2004016836.tif 000006
【００４２】
実施例１のＡＬＫＡＮＯＬ　ＸＣをＳＤＳに置き換えて、実施例１と同一の実験を行った結果を表４に示す。ただし、ＮａＣｌ水溶液の塩濃度は０〜２．０％まで５段階に変えたものを用いた。
【００４３】
【表４】
2004016836.tif 000007
【００４４】
実施例１のＡＬＫＡＮＯＬ　ＸＣをＡＯＴに置き換えて、実施例１と同一の実験を行った結果を表５に示す。ただし、ＮａＣｌ水溶液の塩濃度は０〜０．５％まで６段階に変えたものを用いた。
【００４５】
【表５】
2004016836.tif 000008
【００４６】
ＳＤＳおよびＡＯＴを用いた場合、塩濃度を変化させた場合にも、超低界面張力状態の特徴である３相状態（水相＋界面活性剤相＋有機相）は出現せず、いずれの場合も２相状態であることが確認された。
【００４７】
このように、芳香環を含まないＳＤＳやＡＯＴを用いた場合には、「界面活性剤／低沸点極性有機溶媒／水系」における超低界面張力状態を発現させることが不可能であることが証明された。
【００４８】
＜実施例４＞
本実施例は、「ＡＬＫＡＮＯＬ　ＸＣ／酢酸エチル／水系」について、超低界面張力状態が発現させるための「界面活性剤濃度／ＮａＣｌ濃度」の条件を示すものである。
【００４９】
等重量のＮａＣｌ水溶液と酢酸エチルに対し、ＡＬＫＡＮＯＬ　ＸＣの添加量を変化させたサンプルを、実施例１と同様の操作で調製した後に密栓し、十分に振盪した後、２５℃で１ヶ月間静置した。得られたサンプルを目視で観察し、３相領域が出現する条件を確認した。得られた結果を図１に示す。図中のＩＩは２相状態、ＩＩＩは３相状態を示している。
【００５０】
ＡＬＫＡＮＯＬ　ＸＣが１２％以上の場合、ＮａＣｌを添加しないにもかかわらず、ＡＬＫＡＮＯＬ　ＸＣは有機相中に溶解し、２相状態が観察された（Ｗｉｎｓｏｒ　ＩＩ状態）。これに対し、ＡＬＫＡＮＯＬ　ＸＣが３．５〜１０％の範囲においては、ＮａＣｌ添加によりＨＬＢを釣り合わせることで、超低界面張力状態に特徴的な３相状態が確認された（Ｗｉｎｓｏｒ　ＩＩＩ状態）。このように、「ＡＬＫＡＮＯＬ　ＸＣ／酢酸エチル／水系」において、ＮａＣｌ添加によりＨＬＢを釣り合わせることで、様々な濃度範囲で超低界面張力状態を発現可能であることが証明された。
【００５１】
＜実施例５＞
本実施例は、「ドデシルベンゼンスルホン酸／酢酸エチル／水系」について、超低界面張力状態を発現させるための「界面活性剤濃度／ＮａＣｌ濃度」の条件を示すものである。
【００５２】
実施例４のＡＬＫＡＮＯＬ　ＸＣをドデシルベンゼンスルホン酸ナトリウムに置き換えて、全く同一の実験を行った。得られた結果を図２に示す。図中のＩは１相状態、ＩＩは２相状態、ＩＩＩは３相状態を示している。
【００５３】
ドデシルベンゼンスルホン酸ナトリウムが１〜１０％の範囲においては、ＮａＣｌ添加によりＨＬＢを釣り合わせることで、超低界面張力状態に特徴的な３相状態が確認された（Ｗｉｎｓｏｒ　ＩＩＩ状態）。さらに、ドデシルベンゼンスルホン酸ナトリウムが１２％以上では、ＮａＣｌ添加によりＨＬＢを釣り合わせることで、１相状態が観察された。この条件下では、水と酢酸エチルの両者ともに、界面活性剤相に完全に可溶化されたことを意味している。
【００５４】
このように、「ドデシルベンゼンスルホン酸ナトリウム／酢酸エチル／水系」において、「ＡＬＫＡＮＯＬ　ＸＣ／酢酸エチル／水系」と同様、ＮａＣｌ添加によりＨＬＢを釣り合わせることで、様々な濃度範囲で超低界面張力状態を発現可能であることが証明された。
【００５５】
＜実施例６＞
本実施例は、「ベンゼトニウムクロリド／酢酸エチル／水系」について、超低界面張力状態が発現させるための「界面活性剤濃度／ＮａＣｌ濃度」の条件を示すものである。
【００５６】
実施例４のＡＬＫＡＮＯＬ　ＸＣをベンゼトニウムクロリドに置き換えて、全く同一の実験を行った。得られた結果を図３に示す。図中のＩは１相状態、ＩＩは２相状態、ＩＩＩは３相状態を示している。
【００５７】
ベンゼトニウムクロリドが１〜１２％の範囲においては、ＮａＣｌ添加によりＨＬＢを釣り合わせることで、超低界面張力状態に特徴的な３相状態が確認された（Ｗｉｎｓｏｒ　ＩＩＩ状態）。さらに、ベンゼトニウムクロリドが１４％以上では、ＮａＣｌ添加によりＨＬＢを釣り合わせることで、１相状態が観察された。
【００５８】
このように、「ベンゼトニウムクロリド／酢酸エチル／水系」において、「ＡＬＫＡＮＯＬ　ＸＣ／酢酸エチル／水系」や「ドデシルベンゼンスルホン酸ナトリウム／酢酸エチル／水系」と同様、ＮａＣｌ添加によりＨＬＢを釣り合わせることで、様々な濃度範囲で超低界面張力状態を発現可能であることが証明された。
【００５９】
【発明の効果】
本発明によれば、低沸点の極性有機溶媒、水、芳香環を有する界面活性剤からなる新しい超低界面張力状態を発現させることができる。このため、本発明によれば新しい乳化系や反応場を提供することができ、それによって新しい材料を提供したり、製造工程を簡略化したりすることが可能になる。また、本発明では低沸点の極性有機溶媒を構成要素としているために、必要に応じて極性有機溶媒を除去し易いという利点もある。
【図面の簡単な説明】
【図１】実施例４の「ＡＬＫＡＮＯＬ　ＸＣ／酢酸エチル／水系」の状態を示す図である。
【図２】実施例５の「ドデシルベンゼンスルホン酸ナトリウム／酢酸エチル／水系」の状態を示す図である。
【図３】実施例６の「ベンゼトニウムクロリド／酢酸エチル／水系」の状態を示す図である。
【図１】
2004016836.tif 000009
【図２】
2004016836.tif 000010
【図３】
2004016836.tif 000011